(57)【要約】      （修正有）【課題】簡単にふとんの奧に侵入させることができ乾燥効果に優れる乾燥機を提供する。【解決手段】本体１及びキット４を有し、本体には収納室が内設される。収納室には送風機及び加熱装置が設置され、本体には送風機に対応する箇所に吸気口１２が設けられる。また、本体の前端からは連結管１３が延出され、収納室は外界に連通される。キットには貫通される流路が内設され、一端は接続端４２であり、他端は出口端４３であり、接続端は本体の連結管に連結され、出口端には少なくとも１つの空気口４４が形成される。本体及びキットの底面は連結された後に平坦になる。【選択図】図２
0003191120.tif 000002
【実用新案登録請求の範囲】
【請求項１】
本体及びキットを備え、前記本体には送風機及び加熱装置が設置される収納室が内設され、且つ前記本体の前記送風機に対応する箇所には吸気口が設けられ、前記本体の前端からは連結管が延出されると共に前記収納室を外界に連通させ、前記キットには貫通される流路が内設され、前記流路の一端は接続端であり、他端は出口端であり、前記接続端は前記本体の連結管に連結され、前記出口端には少なくとも１つの空気口が形成され、前記本体及び前記キットは底面をそれぞれ有し、二者が連結された後に二者の底面は平坦になることを特徴とする乾燥機。
【請求項２】
前記送風機はモータ及び２つのファンを備え、前記本体の２つのファンに対応する箇所には吸気口がそれぞれ設けられ、前記本体には前記送風機及び前記加熱装置を制御する制御部材が設置され、前記本体と前記連結管との間には延伸段が設けられ、前記延伸段の底面には前記延伸段の両側まで延出される凹槽が凹設され、前記空気口は前記出口端の前側及び両側に設けられることを特徴とする、請求項１に記載の乾燥機。
【請求項３】
前記キットの接続端と出口端との間にはヒンジ部が設けられ、前記出口端は前記接続端に対して枢動することを特徴とする、請求項１に記載の乾燥機。
【考案の詳細な説明】
【技術分野】
【０００１】
本考案は、組立て式乾燥機に関する。
【背景技術】
【０００２】
従来の乾燥機６を図６に示す。前端は熱気出口端６１であり、使用する際には袋体６２を前記出口端６１に連結させ、袋体６２を敷き布団に敷き、ふとん７を袋体６２にかける。前述の準備が終わった後、乾燥機６を起動させて熱気を袋体６２に注入し、熱気をふとん全面に送ってふとん７を加熱する。
【考案の概要】
【考案が解決しようとする課題】
【０００３】
しかしながら、前述した従来乾燥機では、使用前の準備が煩雑であり、使用上不便であった。袋体６２を連結させず、乾燥機６の出口端６１をふとん７に挿入して使用すると、袋体６２の連結及び布団に敷き入れる煩雑なステップを省略することができるが、乾燥機６の出口端６１が短過ぎてふとん７の奥に進入させることが出来ず、乾燥効果に優れないといった問題があった。
【０００４】
そこで、本考案者は上記の欠点が改善可能と考え、鋭意検討を重ねた結果、合理的な設計で上記の課題を効果的に改善する本考案の乾燥機の提案に到った。
【０００５】
本考案は、このような従来の問題に鑑みてなされたものである。上記課題を解決するため、本考案の主な目的は、上述の問題を解決するために、乾燥機を提供することにある。すなわち、熱気出口端にキットが装設され、乾燥機をふとんの奥に進入させることができ、より好ましい乾燥効果を得る。
【課題を解決するための手段】
【０００６】
上述した課題を解決し、目的を達成するために、本考案に係る乾燥機は、
本体及びキットを備え、前記本体には送風機及び加熱装置が設置される収納室が内設され、且つ前記本体の前記送風機に対応させる箇所には吸気口が設けられ、前記本体の前端からは連結管が延出されると共に前記収納室を外界に連通させ、前記キットには貫通される流路が内設され、前記流路の一端は接続端であり、他端は出口端であり、前記接続端は前記本体の連結管に連結され、前記出口端には少なくとも１つの空気口が形成され、前記本体及び前記キットは底面をそれぞれ有し、二者が連結された後に二者の底面は平坦になることを特徴とする。
【図面の簡単な説明】
【０００７】
【図１】本考案の第１実施形態による乾燥機を示す斜視の概略図である。
【図２】本考案の第１実施形態による乾燥機を示す斜視の展開図である。
【図３】本考案の第１実施形態による乾燥機を示す一部の断面の上面図である。
【図４】本考案の第１実施形態による乾燥機を示す使用状態図である。
【図５】本考案の第２実施形態による乾燥機を示す使用状態の概略図である。
【図６】従来の乾燥機を示す使用状態の概略図である。
【考案を実施するための形態】
【０００８】
以下に図面を参照して、本考案を実施するための形態について、詳細に説明する。なお、本考案は、以下に説明する実施形態に限定されるものではない。
【０００９】
＜第１実施形態＞
以下、本考案の第１実施形態を図１〜３に基づいて説明する。本考案の第１態様に係る乾燥機においては、本体１及びキット４が組み合わされることで構成される。前記本体１には収納室１１が内設され、前記収納室１１には送風機２及び加熱装置３が設置される。前記送風機２はモータ２１を備え、前記モータ２１の両側にはファン２２がそれぞれ設置され、前記本体１の２つのファン２２に対応する箇所には吸気口１２がそれぞれ設けられる。また、前記本体１には送風機２及び加熱装置３を制御させるための制御部材が設置され（図示せず）、前記モータ２１を制御させてファン２２を駆動させて回転させ、気流を前記吸気口１２から前記収納室１１に進入させ、前記加熱装置３を経て熱気に変化させて送風する。前記本体１の前端からは連結管１３が延出され、前記連結管１３は前記収納室１１に連通されると共に前記収納室１１を外界に連通させる。
【００１０】
また、前記キット４には貫通される流路４１が内設され、前記流路４１の一端は接続端４２であり、他端は出口端４３である。前記接続端４２は前記本体１の連結管１３に連結され、詳細には、前記連結管１３の外径は前記接続端４２より僅かに小さく、前記連結管１３が前記接続端４２に覆設され、熱気流の出口位置を延長させる。前記出口端４３の前側及び両側には少なくとも１つの空気口４４がそれぞれ設けられ、熱気流を前記出口端４３の前側及び両側から排出させる。また、前記本体１及び前記キット４が装設された後、二者の底面は平坦になり、地面に水平に置き敷き布団に敷設できる。
【００１１】
上述の部材で構成される本考案を使用する場合、図４に示すように、即ち、敷き布団に敷いてふとん５をかける。前記キット４が装設されるため、本考案の熱気流を排出させる出口位置が延長され、空気口４４がふとん５の奥まで進入可能になり、使用時には熱気流はふとん５の中央位置に直接排出され、より好ましい乾燥効果が得られる。本実施形態では図２のように、前記本体１と連結管１３との間に延伸段１４が設けられ、前記延伸段１４の底面には凹槽が凹設され、前記凹槽は両側に向け延出されて逆流流路１５が形成され、排出される熱気流は前記逆流流路１５を経由して回流し、循環流動を達成させ乾燥効果が更に増強される。
【００１２】
さらに、本考案の他の長所は、使用後に前記キット４は前記本体１から取り外し可能であり、構造全体の高さを低くし収納し易くなる。取り出して使用する場合、前記キット４を前記本体１の連結管１３に覆設させるのも非常に簡単で、素早く行えるため、利便性が高い。
【００１３】
＜第２実施形態＞
本考案の第２実施形態の構成を図５に示す。本実施形態と上述の第一実施形態との差異は、前記キット４の接続端４２と出口端４３との間にはヒンジ部４５が設けられ、前記出口端４３は前記接続端４２に対し枢動し、使用条件に合わせ前記空気口４４から排出される熱気流の角度を調整可能になる点である。
【００１４】
以上、本考案はこのような実施形態に限定されるものではなく、考案の趣旨を逸脱しない範囲において、種々の形態で実施することができる。
【符号の説明】
【００１５】
１   本体
１１   収納室
１２   吸気口
１３   連結管
１４   延伸段
１５   逆流流路
２   送風機
２１   モータ
２２   ファン
３   加熱装置
４   キット
４１   流路
４２   接続端
４３   出口端
４４   空気口
４５   ヒンジ部
５   ふとん
６   乾燥機
６１   出口端
６２   袋体
７   ふとん
【図１】
0003191120.tif 000003
【図２】
0003191120.tif 000004
【図３】
0003191120.tif 000005
【図４】
0003191120.tif 000006
【図５】
0003191120.tif 000007
【図６】
0003191120.tif 000008